(57)【要約】【課題】高圧放電灯の寿命末期時の異常現象（不点現象や半波放電やスローリークや外管内放電）が起きた場合に電子安定器や高圧放電灯を保護する。【解決手段】高圧放電灯４への供給電力を調整するインバータ回路３と、高圧放電灯４の点灯状態を判別する第１の点灯判別回路７と、第１の点灯判別回路７の判別結果を受けてインバータ回路３の動作を継続または停止させる第２の点灯判別回路８とを備え、第１の点灯判別回路７が高圧放電灯４の点灯状態を判別し、第２の点灯判別回路８が第１の点灯判別回路７の判別結果の略合計によりインバータ回路３の動作の継続または停止を判別する。【選択図】図１
2005100830.tif 000002
【特許請求の範囲】
【請求項１】
少なくとも限流要素を含む安定器を備える高圧放電灯点灯装置において、前記安定器は高圧放電灯への供給電力を調整するインバータ回路と、高圧放電灯の点灯状態を判別する第１の点灯判別回路と、第１の点灯判別回路の判別結果を受けてインバータ回路の動作を継続または停止させる第２の点灯判別回路とを備え、第１の点灯判別回路が高圧放電灯の点灯状態を判別し、第２の点灯判別回路が第１の点灯判別回路の判別結果の略合計によりインバータ回路の動作の継続または停止を判別することを特徴とする高圧放電灯点灯装置。
【請求項２】
請求項１において、第２の点灯判別回路が第１の所定期間内における第１の点灯判別回路の判別結果の継続状態によって、インバータ回路の動作の継続または停止を判別することを特徴とする高圧放電灯点灯装置。
【請求項３】
請求項２において、第１の点灯判別回路の判別結果が第１の所定期間の間、点灯を継続した場合は、インバータ回路の動作を継続し、第１の点灯判別回路の判別結果が第１の所定期間の間、不点灯を継続した場合は、インバータ回路の動作を第２の所定期間の間継続し、更にその期間不点灯を継続した場合はインバータ回路の動作を停止させ、第１の点灯判別回路の判別結果が第１の所定期間の間、点灯と不点灯を繰返し継続した場合は、インバータ回路の動作を即時停止させることを特徴とする高圧放電灯点灯装置。
【請求項４】
請求項２において、第１の点灯判別回路の判別結果が電源投入直後の第１の所定期間の間、点灯を継続した場合は、インバータ回路の動作を継続し、第１の点灯判別回路の判別結果が電源投入直後の第１の所定期間の間、不点灯を継続した場合は、インバータ回路の動作を第２の所定期間の間継続し、その後、再び第１の点灯判別回路の判別結果が第１の所定期間の間、不点灯を継続した場合は、インバータ回路の動作を即時停止させ、第１の所定期間の間、点灯を継続した場合は、インバータ回路の動作を継続させ、第１の点灯判別回路の判別結果が電源投入直後の第１の所定期間の間、点灯と不点灯を繰返し継続した場合は、インバータ回路の動作を即時停止させることを特徴とする高圧放電灯点灯装置。
【請求項５】
請求項１において、第１の点灯判別回路が所定間隔毎にランプの点灯状態を判別し、第２の点灯判別回路が所定回数の第１の点灯判別回路の判別結果の継続状態によって、インバータ回路の動作の継続または停止を判別することを特徴とする高圧放電灯点灯装置。
【請求項６】
請求項５において、第１の点灯判別回路の判別結果が連続して所定回数、点灯を継続した場合は、インバータ回路の動作を継続し、第１の点灯判別回路の判別結果が連続して所定回数、不点灯を継続した場合は、インバータ回路の動作を第２の所定期間継続し、更にその期間不点灯を継続した場合はインバータ回路の動作を停止させ、第１の点灯判別回路の判別結果が連続して所定回数、点灯と不点灯を繰返し継続した場合は、インバータ回路の動作を即時停止させることを特徴とする高圧放電灯点灯装置。
【請求項７】
請求項５において、第１の点灯判別回路の判別結果が電源投入直後の所定回数、点灯を継続した場合は、インバータ回路の動作を継続し、第１の点灯判別回路の判別結果が電源投入直後の所定回数、不点灯を継続した場合は、インバータ回路の動作を第２の所定期間継続し、その後、再び第１の点灯判別回路の判別結果が所定回数、不点灯を継続した場合は、インバータ回路の動作を即時停止させ、所定回数、点灯を継続した場合は、インバータ回路の動作を継続させ、第１の点灯判別回路の判別結果が電源投入直後の所定回数、点灯と不点灯を繰返し継続した場合はインバータ回路の動作を即時停止させることを特徴とする高圧放電灯点灯装置。
【請求項８】
請求項１〜７のいずれかの高圧放電灯点灯装置と、該点灯装置により始動・点灯される高圧放電灯と、高圧放電灯に所定の配光特性を与える灯具とからなる照明器具。
【発明の詳細な説明】
【技術分野】
【０００１】
本発明は安定器によって点灯させる高圧放電灯を用いた高圧放電灯点灯装置において、高圧放電灯の寿命末期の異常状態（半波放電、スローリーク、外管内放電）を検知し、高圧放電灯と高圧放電灯点灯装置を保護する技術に関するものである。
【背景技術】
【０００２】
高圧放電灯を点灯させる点灯装置としては、従来、銅鉄型安定器が主流であった。しかし、近年、安定器の小型化・軽量化・高機能化を目的として、電子部品を用いた電子バラストなるものが主流となりつつある。この電子バラストについて以下簡単に説明する。
【０００３】
図１５に従来の電子バラストのブロック図を示す。交流電源１に整流回路を含む直流電源回路２が接続されており、その出力端にランプ４への供給電力を調整・制御できるインバータ回路３が接続されており、その出力端にランプ４が接続されている。ランプ４は高圧放電灯である。
【０００４】
このような高圧放電灯の寿命末期時に起きる現象として、不点、半波放電、スローリーク、外管内放電のような幾つかの現象が知られている。ここで、不点現象とは、ランプの発光管内の電極が磨耗してきて、ランプが始動点灯できなくなってしまう現象である。半波放電現象とは、ランプを交流で点灯させている場合に、一方の極性において整流作用を持ち、放電が継続されてしまう現象である。この状態のランプの等価回路として、図１６に示すような抵抗５ａ，５ｂとダイオード６の直並列回路がよく用いられる。ＩＥＣ規格における定数は、５ａ＝２００Ω、５ｂ＝０〜１００Ωとされている。スローリークとは、ランプの発光管内のガスが外管内にリークし、ランプ電圧が通常より低い状態で放電を継続してしまう現象である。外管内放電とは、スローリークが更に進行して、外管内の電極間で放電が起こってしまう現象である。このような異常現象がランプに起きた場合の電子安定器の動作について以下説明する。
【０００５】
【表１】
2005100830.tif 000003
【０００６】
表１にメタルハライドランプ７０Ｗを電子安定器で点灯させた場合の各々の電気特性の比較表を示す。表中、半波放電Ａは図１６の抵抗５ａ＝１００Ω、５ｂ＝６．０Ω、半波放電Ｂは図１６の抵抗５ａ＝２００Ω、５ｂ＝１．３Ωの場合であり、いずれもランプメーカー提示の定数による。この表よりまず分かることとして、不点（無負荷）状態においてはランプ電圧が無負荷二次電圧を継続していて、ランプ電流や入力電流が微小しか流れていないので、検出が容易で従来からランプ電圧やランプ電流や入力電流を検出することで、安定器の動作を停止させることが可能となっている。
【０００７】
更にこの表からも分かるようにランプ異常状態においては、ランプ電流は定格時よりも増大するが、消費電力は定格時と同等以下となっている。このため、このような異常状態が起きても一般的に電子安定器の入力部に設けられた電流ヒューズ等も動作せず、電子安定器は動作し続けてしまう。ところがこのような異常状態においては、表に示すようにランプ電流が異常に大きいため、電子安定器の中の部品でランプ電流と同じ電流が流れる部品（パルストランス、スイッチング素子等）についてはロスが増え、温度上昇が顕著に見られる。よって、このような状態のまま電子安定器の動作が継続してしまうとこれらの部品にストレスがかかり、電子安定器の寿命を短くしてしまうという問題点があった。
【０００８】
このような問題を解決する手段として、従来、ランプ電圧を検出し、ランプ電圧がある一定時間以上、ある電圧以上に上昇しなければ電子安定器の動作を止めるといった保護回路があるが、この手段はスローリークには有効であるが、ランプ電圧が極性ごとに高・低を繰り返す半波放電においては効果がない。また、同様にランプ電流を検出して、ランプ電流がある一定時間以上、ある電流以下に下がらなければ電子安定器の動作を止めるといった保護回路も考えられるが、これもスローリークには有効であるが、ランプ電流が極性ごとに高・低を繰り返す半波放電においては効果がない。
【０００９】
更にこのような問題を解決する手段として、特開２００２−３５２９７７がある。しかし、この手段は半波放電には有効であるが、放電動作が不安定でその動作が明確でない外管内放電においては効果がない。また、特許文献１（特開２００１−６８２７８）は始動直後の半波放電を寿命末期の半波放電と誤認しないようにするための技術であり、本発明とは課題が異なる。
【特許文献１】特開２００１−６８２７８号公報
【発明の開示】
【発明が解決しようとする課題】
【００１０】
本発明は上述のような点に鑑みてなされたものであり、その目的とするところは、高圧放電灯の寿命末期時の異常現象（不点現象や半波放電やスローリークや外管内放電）が起きた場合に電子安定器や高圧放電灯を保護することにある。
【課題を解決するための手段】
【００１１】
本発明は上記の課題を解決するために、図１に示すように、少なくとも限流要素を含む安定器を備える高圧放電灯点灯装置において、前記安定器は高圧放電灯４への供給電力を調整するインバータ回路３と、高圧放電灯４の点灯状態を判別する第１の点灯判別回路７と、第１の点灯判別回路７の判別結果を受けてインバータ回路３の動作を継続または停止させる第２の点灯判別回路８とを備え、第１の点灯判別回路７が高圧放電灯４の点灯状態を判別し、第２の点灯判別回路８が第１の点灯判別回路７の判別結果の略合計によりインバータ回路３の動作の継続または停止を判別することを特徴とするものである。
【発明の効果】
【００１２】
本発明によれば、高圧放電灯の寿命末期時の異常現象（不点現象や半波放電や外管内放電）が起きた場合に正確に検出し適切に保護できる構成を設けたことにより、高圧放電灯の寿命末期時に電子安定器や高圧放電灯を保護することができる。
【発明を実施するための最良の形態】
【００１３】
図１に本発明の高圧放電灯点灯装置のブロック回路図を示す。図１５に示した従来の構成において、第１の点灯判別回路７と第２の点灯判別回路８を追加したものである。第１の点灯判別回路７と、第２の点灯判別回路８の詳細な構成を以下に説明する。
【００１４】
第１の点灯判別回路７は、抵抗Ｒ１、Ｒ２とコンデンサＣと点灯判別基準電圧Ｅとコンパレータ１３とから構成されており、ランプ電圧を抵抗Ｒ１、Ｒ２で分圧し、コンデンサＣで平滑した検出電圧と、点灯判別基準電圧Ｅとをコンパレータ１３で比較して、ランプ４の点灯状態と不点灯状態を常時検出・判別している。点灯状態では、コンパレータ１３の出力はＨｉｇｈレベル、不点灯状態ではコンパレータ１３の出力はＬｏｗレベルとなる。
【００１５】
第２の点灯判別回路８は、パルスカウンタ部１４とタイマ回路部１５、１６とＡＮＤ回路１７とから構成されており、パルスカウンタ部１４は所定期間Ｔａの間、ＨｉｇｈレベルとＬｏｗレベルの点滅繰り返し信号が入力されると、出力をＬｏｗレベルとし、それ以外は常時Ｈｉｇｈレベルを出力するものである。また、タイマ回路部１５は所定期間Ｔａの間、Ｈｉｇｈレベルが入力されると出力をＨｉｇｈレベルとし、それ以外は常時Ｌｏｗレベルを出力するものである。次に、タイマ回路部１６は所定期間Ｔｂ（＞Ｔａ）の間、Ｌｏｗレベルが入力されるとＬｏｗレベルを出力し、それ以外は常時Ｈｉｇｈレベルを出力するものである。最後にＡＮＤ回路１７はパルスカウンタ部１４とタイマ回路部１６のどちらかの信号がＬｏｗレベルになると、インバータ回路３の動作を抑制・停止するようにＬｏｗレベルの信号を出力するものである。第２の点灯判別回路８の出力がＨｉｇｈレベルである間はインバータ回路３は動作を継続する。
【００１６】
図２は第１の点灯判別回路７の出力の時間的な変化を示したものであり、（ａ）はランプ正常点灯時、（ｂ）はランプ不点時、（ｃ）はランプ再始動時、（ｄ）はランプ異常時である。
【００１７】
図２（ａ）のランプ正常点灯時には、ランプ４が点灯することで第１の点灯判別回路７の出力はＨｉｇｈレベルとなるので、パルスカウンタ部１４の出力はＨｉｇｈレベルのままとなる。また、タイマ回路部１５は所定期間Ｔａの間、Ｈｉｇｈレベルが入力されることで、出力がＨｉｇｈレベルとなる。したがって、タイマ回路部１６の出力はＨｉｇｈレベルのままとなる。ゆえに、第２の点灯判別回路８の出力はＨｉｇｈレベルのままとなり、Ｌｏｗレベルとなることはないから、インバータ回路３は動作を継続する。
【００１８】
図２（ｂ）のランプ不点時には、ランプ４が不点灯であることで第１の点灯判別回路７の出力はＬｏｗレベルのままとなる。この状態で所定時間Ｔａが経過することで、タイマ回路部１５の出力はＬｏｗレベルのままとなる。タイマ回路部１６は所定期間Ｔｂの間、Ｌｏｗレベルが入力されることでＬｏｗレベルを出力し、これによりＡＮＤ回路１７の出力はＬｏｗレベルとなるから、インバータ回路３は動作を停止する。
【００１９】
図２（ｃ）のランプ再始動時には、電源投入から所定期間Ｔｂが経過する前に、ランプ４が点灯することで、図２（ａ）のランプ正常点灯時と同様に、パルスカウンタ部１４の出力、タイマ回路部１５、１６の出力はＨｉｇｈレベルとなるから、インバータ回路３は動作を継続する。
【００２０】
図２（ｄ）のランプ異常時には、点灯状態と不点灯状態を繰り返すことで、第１の点灯判別回路７の出力はＨｉｇｈレベルとＬｏｗレベルを繰り返す。パルスカウンタ部１４は所定期間Ｔａの間、ＨｉｇｈレベルとＬｏｗレベルの点滅繰り返し信号が入力されると、出力がＬｏｗレベルとなるので、ＡＮＤ回路１７の出力はＬｏｗレベルとなり、インバータ回路３は動作を停止する。
【００２１】
以上の動作により、ランプ４が異常になった場合に、速やかにインバータ回路３の動作を停止させることができるので、ランプや安定器の悪化の進行を防ぐことができる。なお、ここでは、ランプ電圧をランプの点灯判別の検出情報としたが、これはランプ電流や入力電流などでもよい。
【実施例１】
【００２２】
図３に実施例１の動作を示す。本実施例では、電源投入直後Ｔａの間の点灯判別結果が不点灯の場合に、第２の所定期間Ｔｂの間、インバータ回路３の動作を継続し、その後再度、第１の所定期間Ｔａの間、点灯判別を行ない、その結果が不点灯のままであれば、インバータ回路３の動作を停止させ、その結果が点灯であれば、インバータ回路３の動作を継続させたものであり、図２の動作と同様の効果が得られる。
【００２３】
図３は本実施例における第１の点灯判別回路７の出力の時間的な変化を示したものであり、（ａ）はランプ正常点灯時、（ｂ）はランプ不点時、（ｃ）はランプ再始動時、（ｄ）はランプ異常時である。なお、図２、図３において、第１の所定期間Ｔａは正常ランプが通常始動するのに十分な時間に設定するのが適切であり、一般的には数秒から数十秒が良いとされる。また、第２の所定時間Ｔｂは再始動時のランプが再点灯するのに十分な時間に設定するのが適切であり、一般的には数十分程度が良いとされる。
【実施例２】
【００２４】
図４に実施例２の構成を示す。第１の点灯判別回路７は、実施例１の回路にタイマ回路部１８を追加したものであり、タイマ回路部１８はコンパレータ１３の出力を所定間隔Ｔｃ毎に観測し、その結果を不点灯であればＬｏｗレベル、点灯であればＨｉｇｈレベルで出力するものである。
【００２５】
第２の点灯判別回路８は、パルスカウンタ部１９、２０とタイマ回路部１６とＡＮＤ回路１７とから成っていて、パルスカウンタ部１９は所定回数Ｃａ回、Ｈｉｇｈレベル−Ｌｏｗレベルの点滅繰り返し信号が入力されると、出力にＬｏｗレベルを発信し、それ以外は常時Ｈｉｇｈレベルを発信するものである。また、パルスカウンタ部２０は所定回数Ｃａ回、Ｈｉｇｈレベルが入力されると出力にＨｉｇｈレベルを発信し、それ以外は常時Ｌｏｗレベルを発信するものである。次に、タイマ回路部１６は所定期間Ｔｂの間、Ｌｏｗレベルが入力されると出力にＬｏｗレベルを発信し、それ以外は常時Ｈｉｇｈレベルを発信するものである。最後にＡＮＤ回路１７はパルスカウンタ部１９とタイマ回路部１６のどちらかの信号がＬｏｗレベルになると、インバータ回路部３の動作を抑制・停止するように信号を発信するものである。
【００２６】
図５は第１の点灯判別回路７の出力の時間的な変化を示したものであり、（ａ）はランプ正常点灯時、（ｂ）はランプ不点時、（ｃ）はランプ再始動時、（ｄ）はランプ異常時である。
【００２７】
図５（ａ）のランプ正常点灯時には、第１の点灯判別回路７から所定間隔Ｔｃ毎にＨｉｇｈレベルのパルスが出力されるので、第２の点灯判別回路８のパルスカウンタ部２０は所定回数Ｃａ回、Ｈｉｇｈレベルが入力されることで出力にＨｉｇｈレベルを発信する。したがって、タイマ回路部１６は常時Ｈｉｇｈレベルを発信する。また、パルスカウンタ部１９は常時Ｈｉｇｈレベルを発信するから、第２の点灯判別回路８の出力はＨｉｇｈレベルのままとなり、インバータ回路３は動作を継続する。
【００２８】
図５（ｂ）のランプ不点時には、ランプ４が不点灯であることで第１の点灯判別回路７の出力はＬｏｗレベルのままとなる。この状態で所定時間Ｔｂが経過することで、タイマ回路部１６の出力はＬｏｗレベルを出力し、これによりＡＮＤ回路１７の出力はＬｏｗレベルとなるから、インバータ回路３は動作を停止する。
【００２９】
図５（ｃ）のランプ再始動時には、電源投入から所定期間Ｔｂが経過する前に、ランプ４が点灯することで、図５（ａ）のランプ正常点灯時と同様に、タイマ回路部１６とパルスカウンタ部１９の出力は共にＨｉｇｈレベルのままとなるから、インバータ回路３は動作を継続する。
【００３０】
図５（ｄ）のランプ異常時には、点灯状態と不点灯状態を繰り返すことで、第１の点灯判別回路７の出力はＨｉｇｈレベルとＬｏｗレベルを繰り返す。パルスカウンタ部１９は所定回数Ｃａ回、ＨｉｇｈレベルとＬｏｗレベルの点滅繰り返し信号が入力されると、出力がＬｏｗレベルとなるので、ＡＮＤ回路１７の出力はＬｏｗレベルとなり、インバータ回路３は動作を停止する。
【００３１】
以上の動作により、ランプ４が異常になった場合に、速やかにインバータ回路の動作を停止させることができるので、ランプや安定器の悪化の進行を防ぐことができる。
【実施例３】
【００３２】
図６に実施例３の動作を示す。本実施例は、上述の実施例２において、電源投入直後、所定回数Ｃａ回の点灯判別結果が不点灯の場合に、第２の所定期間Ｔｂの間、インバータ回路の動作を継続し、その後再度、所定回数Ｃａ回、点灯判別を行ない、その結果が不点灯のままであればインバータ回路３の動作を停止させ、その結果が点灯であればインバータ回路３の動作を継続させたものである。本実施例においても実施例２と同様の効果が得られる。
【００３３】
図６はそれぞれ（ａ）ランプ正常点灯時、（ｂ）ランプ不点時、（ｃ）ランプ再始動時、（ｄ）ランプ異常時における第１の点灯判別回路７の出力の時間的な変化を示したものである。なお、図５又は図６において、所定回数Ｃａは正常ランプが通常始動するのに十分な回数に設定するのが適切であり、その期間は一般的には所定回数Ｃａの期間が数秒から数十秒が良いとされる。
【実施例４】
【００３４】
図７に実施例４として具体的な安定器の回路構成を示す。直流電源回路２は整流回路ＤＢと、インダクタンスＬ１とスイッチング素子Ｑ１とダイオードＤ１とコンデンサＣ１のチョッパ回路と、その制御回路２１とからなり、交流電源１の交流電圧を所望の直流電圧に変換する機能を有する。インバータ回路３は降圧チョッパ回路３１と極性反転回路３２とイグナイタ回路３３と制御回路３４とからなっている。降圧チョッパ回路３１はスイッチング素子Ｑ２とダイオードＤ２とインダクタンスＬ２とコンデンサＣ２とからなり、入力電圧を降圧した直流電圧を出力する。ここで降圧チョッパ回路の動作については一般的な技術であるので説明を省略する。次に極性反転回路３２はスイッチング素子Ｑ３〜Ｑ６からなるフルブリッジ回路を構成している。この極性反転回路３２は各スイッチング素子Ｑ３〜Ｑ６が制御回路３４により図８に示すような動作を行ない、放電灯４に矩形波交流電力を供給している。次にイグナイタ回路３３はパルストランスＰＴとコンデンサＣ３とスイッチング素子Ｑ７（例えばサイダックのような電圧応答素子）と抵抗Ｒ３とからなっている。このイグナイタ回路３３の動作について図９を用いて簡単に説明する。前記極性反転回路３２より生成された図９（ａ）のような矩形波電圧Ｖａ−ｂを受け、抵抗Ｒ３とコンデンサＣ３の時定数によりコンデンサＣ３の電圧Ｖｃ３は図９（ｂ）のように徐々に充電されていく。コンデンサＣ３の電圧Ｖｃ３がスイッチング素子Ｑ７のブレークオーバー電圧Ｖｂｏに達するとスイッチング素子Ｑ７はＯＮし、コンデンサＣ３に蓄積された電荷をコンデンサＣ３→スイッチング素子Ｑ７→パルストランスＰＴの１次巻線を介して放電させる。この時パルストランスＰＴの１次巻線に発生したパルス電圧が昇圧され、パルストランスＰＴの２次巻線に高圧パルス電圧（数ＫＶ）を発生させる。そして、この高圧パルス電圧により放電灯４が放電を開始し、点灯状態に移行する。また制御回路３４はランプ４のランプ電圧Ｖｌａ（電流、電力でもよい）を検出し、ランプ電圧に応じてスイッチング素子Ｑ２のオン／オフ制御を行ない、ランプ４に供給する電力を調整している。
【００３５】
このような電子安定器においても、制御回路３４内に先の実施例における点灯判別回路７、８を搭載することにより、先の実施例と同様の効果を得ることができる。
【実施例５】
【００３６】
図１０に実施例５を示す。本実施例は実施例４の降圧チョッパ回路３１と極性反転回路３２を図中に示したようなフルブリッジ回路３５にて構成したものである。また、図１１は図中のスイッチング素子Ｑ３〜Ｑ６のＯＮ／ＯＦＦ動作及びランプ電流を示したものである。スイッチング素子Ｑ３とＱ６、Ｑ４とＱ５はそれぞれ図１１に示すように対になって高周波スイッチングを繰り返す。つまり、図７の回路におけるスイッチング素子Ｑ２、Ｑ３〜Ｑ６を代用したものである。スイッチング素子Ｑ３とＱ６が高周波スイッチングしているサイクルにおいては、スイッチング素子のＯＦＦ時にインダクタンスＬ２のエネルギーはダイオードＤ４とＤ５を介して電源に帰還される。また、スイッチング素子Ｑ４とＱ５が高周波スイッチングしているサイクルにおいては、スイッチング素子のＯＦＦ時にインダクタンスＬ２のエネルギーはダイオードＤ３とＤ６を介して電源に帰還される。つまり、ダイオードＤ３〜Ｄ６は図７の回路におけるダイオードＤ２を代用したものである。
【００３７】
以上の動作により、図７の実施例４と同様の矩形波交流電力を高圧放電灯４に供給することができ、また、実施例４と同様に点灯判別回路７、８を制御回路３４内に搭載することにより、先の実施例と同様の効果を得ることができる。更に本実施例は、スイッチング素子Ｑ３〜Ｑ６に例えばＦＥＴのようなダイオード内蔵型の素子を用いれば、ダイオードＤ３〜Ｄ６はこのダイオードで兼用することができ、スイッチング素子とダイオードの使用数は４個と実施例４の６個に対して減らすことができ、コストダウン、小型化という面で有利となる。
【実施例６】
【００３８】
図１２に実施例６を示す。本実施例は実施例４の降圧チョッパ回路３１と極性反転回路３２を図中に示したようなハーフブリッジ回路３６にて構成したものである。また、図１３は図中のスイッチング素子Ｑ３，Ｑ４のＯＮ／ＯＦＦ動作及びランプ電流を示したものである。スイッチング素子Ｑ３、Ｑ４はそれぞれ図１３に示すような高周波スイッチングを繰り返す。つまり、図７の回路におけるスイッチング素子Ｑ２、Ｑ３〜Ｑ６を代用したものである。スイッチング素子Ｑ３が高周波スイッチングしているサイクルにおいては、スイッチング素子のＯＦＦ時にインダクタンスＬ２のエネルギーはダイオードＤ４を介してコンデンサＣ０２に帰還される。また、スイッチング素子Ｑ４が高周波スイッチングしているサイクルにおいては、スイッチング素子のＯＦＦ時にインダクタンスＬ２のエネルギーはダイオードＤ３を介してコンデンサＣ０１に帰還される。つまり、ダイオードＤ３、Ｄ４は図７の回路におけるダイオードＤ２を代用したものである。
【００３９】
以上の動作により、実施例４、５と同様な矩形波交流電力をランプに与えることができ、前記と同様に高圧放電灯の異常時に、ランプと安定器を保護することが出来る。更に本実施例は、スイッチング素子Ｑ３、Ｑ４に例えばＦＥＴのようなダイオード内蔵型の素子を用いれば、ダイオードＤ３、Ｄ４はこのダイオードで兼用することができ、スイッチング素子とダイオードの使用数は２個と実施例４の６個に対して減らすことができ、コストダウン、小型化という面で有利となる。
【実施例７】
【００４０】
図１４に実施例７を示す。図中、４１は安定器、４２は出力線、４３はアース線、４４は灯具、４５はソケット、４はランプである。本実施例は、先の実施例１〜６のような高圧放電灯点灯装置を内蔵する安定器４１を灯具４４と組み合わせた照明装置・照明器具の一例を示したものである。
【産業上の利用可能性】
【００４１】
本発明はオフィスや一般家庭用の照明器具に利用できる。
【図面の簡単な説明】
【００４２】
【図１】本発明の高圧放電灯点灯装置の基本構成を示す回路図である。
【図２】図１の点灯判別回路の動作説明図である。
【図３】本発明の実施例１の動作説明図である。
【図４】本発明の実施例２の回路図である。
【図５】本発明の実施例２の動作説明図である。
【図６】本発明の実施例３の動作説明図である。
【図７】本発明の実施例４の回路図である。
【図８】本発明の実施例４の始動・点灯時の動作説明図である。
【図９】本発明の実施例４のイグナイタ回路部の動作説明図である。
【図１０】本発明の実施例５の回路図である。
【図１１】本発明の実施例５の点灯時の動作説明図である。
【図１２】本発明の実施例６の回路図である。
【図１３】本発明の実施例６の点灯時の動作説明図である。
【図１４】本発明の実施例７の照明器具の概略構成図である。
【図１５】従来の高圧放電灯点灯装置の概略構成を示す回路図である。
【図１６】半波放電状態の高圧放電灯の等価回路図である。
【符号の説明】
【００４３】
１  交流電源
２  直流電源回路
３  インバータ回路
４  ランプ（高圧放電灯）
７  第１の点灯判別回路
８  第２の点灯判別回路
【図１】
2005100830.tif 000004
【図２】
2005100830.tif 000005
【図３】
2005100830.tif 000006
【図４】
2005100830.tif 000007
【図５】
2005100830.tif 000008
【図６】
2005100830.tif 000009
【図７】
2005100830.tif 000010
【図８】
2005100830.tif 000011
【図９】
2005100830.tif 000012
【図１０】
2005100830.tif 000013
【図１１】
2005100830.tif 000014
【図１２】
2005100830.tif 000015
【図１３】
2005100830.tif 000016
【図１４】
2005100830.tif 000017
【図１５】
2005100830.tif 000018
【図１６】
2005100830.tif 000019